(57)【要約】      （修正有）【課題】仕切りとしての機能が有効に発揮される構成を有するファイル用のボックスを提供する。【解決手段】ファイル用のボックスは、底壁１５及びこの底壁１５の縁部から立ち上がる立壁１０を有するとともに、底壁１５及び立壁１０に囲まれた内部において少なくとも上方が開放された収納空間を有するボックス本体１と、可動仕切２とを有している。可動仕切２は、収納空間を区画する機能を有する仕切本体２１、この仕切本体２１の一端側を接続しながらボックス本体１の立壁１０における一の内面に取り付けられる取付板２２、仕切本体２１の他端側を開放させた状態で一の内面１２１に対向する他の内面１１１に対しそれぞれ独立してスライド可能に取り付けられた複数の開放端２３を有する。【選択図】図５
2015036220.tif 000002
【特許請求の範囲】
【請求項１】
底壁及びこの底壁の縁部から立ち上がる立壁を有するとともに前記底壁及び立壁に囲まれた内部において少なくとも上方が開放された収納空間を有するボックス本体と、
前記収納空間を区画する機能を有する仕切本体、この仕切本体の一端側を接続しながら前記ボックス本体の前記立壁における一の内面に取り付けられる取付板、前記仕切本体の他端側を開放させた状態で他端側から延出し前記一の内面に対向する他の内面に対しそれぞれ独立してスライド可能に取り付けられた複数の開放端を有する可動仕切とを具備することを特徴とするファイル用のボックス。
【請求項２】
前記可動仕切が、前記ボックス本体の下端に接し下方から仕切本体を支持する支持脚を有している請求項１記載のファイル用のボックス。
【請求項３】
前記支持脚が、前記取付板及び前記開放端にそれぞれ設けられている請求項２記載のファイル用のボックス。
【請求項４】
前記立壁が、上端近傍に下方に向けて開口する下向きスリットを有するものであり、前記開放端の上端が前記下向きスリットに差込挟持された状態でスライド可能に支持されている請求項２又は３記載のファイル用のボックス。
【請求項５】
前記立壁が、前記収納空間を外方から視認し得る視認窓を有するとともに前記支持脚が前記視認窓の形状に沿って設けた凹部が設けられたものであり、前記視認窓及び前記凹部が互いに連通し得るようにしている請求項２、３又は４記載のファイル用のボックス。
【請求項６】
前記取付板が、前記一の内面に対しスライド可能に設けられている請求項１、２、３、４又は５記載のファイル用のボックス。
【請求項７】
前記複数の仕切本体が、一端側から他端側へ向かって延出し前記仕切本体自体の剛性を高め得るリブを有している請求項１、２、３、４、５又は６記載のファイル用のボックス。
【発明の詳細な説明】
【技術分野】
【０００１】
本発明は、オフィスや学校、家庭等で好適に用いられるファイル用のボックスに関する。
【背景技術】
【０００２】
従来、オフィスや学校、家庭等において書類等を収納しておくための器具の一つとして、内部に収納空間を有するファイル用のボックスが広く用いられている。このようなファイル用のボックスは、通常「ボックスファイル」や「ファイルボックス」等と称されるものであり、収納空間内に書類等を立てた状態で保存しておくことができ、書類の出し入れが容易であるという特徴を有する。
【０００３】
ところで、このようなファイル用のボックスにおいて、書類等の枚数が少ない場合に書類等が収納空間内において自重で湾曲することがあり、この不具合を解消すべく、収納空間を区画する機能を有する仕切を設けることが考えられている。さらに、書類等の枚数の変化により柔軟に対応すべく、収納空間を内部に有するボックス本体と、このボックス本体の収納空間内においてスライド移動可能な可動仕切とを有するファイル用のボックスも考えられている（例えば、特許文献１を参照）。また当該特許文献１に記載のものは、収納物の巾寸法により柔軟に対応すべく、仕切板自体を撓みやすい素材によって構成している。
しかして、前記特許文献１記載のファイル用のボックスの構成では、例えば書類に限らず小物類や生活用品等を収納しようとすると、かえって仕切板自体が収納物に干渉すると使用者に感じさせることがある。
【０００４】
また、可動仕切が対をなす仕切板の両端を接続した状態でボックス本体に接続し、この仕切板をボックス本体に対して動作可能に構成したり、仕切本体自体を撓み変形可能に構成したりすることにより、種々の平面視寸法を有する収納物に適用しようとしたファイル用のボックスも提案されている（例えば、特許文献２参照）。
【０００５】
しかしながら、複数の仕切板の両端が連続している、所謂平面視ロの字形の構成を採用している以上、仕切板を種々の態様に変形或いは動作可能に構成しても、収納物の平面視寸法に常に安定して適用するには自ずと限界があると考えられる。また当該特許文献２に記載のものも上記特許文献１記載のもの同様、仕切板を撓みやすく構成してしまうと、収納物の重量により仕切板が不要に撓んでしまい、本来の仕切りとしての機能が発揮できない場合もあると考えられる。
【０００６】
そこで、収納物の寸法、仕様に拘わらず、可動仕切をボックス本体により安定して保持させる構成を有するファイル用のボックスが要望されている。
【先行技術文献】
【特許文献】
【０００７】
【特許文献１】特開平１１−３０１１６０号公報
【特許文献２】特許第５１８５８４８号公報
【発明の概要】
【発明が解決しようとする課題】
【０００８】
本発明は以上に述べた点のうち、収納空間内に収納した収納物が有する種々の平面視寸法に対応可能とする点に着目することで、仕切りとしての機能が有効に発揮される構成を有するファイル用のボックスを提供することを目的とする。
【課題を解決するための手段】
【０００９】
本発明は、このような目的を達成するために、次のような手段を講じたものである。
【００１０】
すなわち本発明に係るファイル用のボックスは、底壁及びこの底壁の縁部から立ち上がる立壁を有するとともに前記底壁及び立壁に囲まれた内部において少なくとも上方が開放された収納空間を有するボックス本体と、前記収納空間を区画する機能を有する仕切本体、この仕切本体の一端側を接続しながら前記ボックス本体の前記立壁における一の内面に取り付けられる取付板、前記仕切本体の他端側を開放させた状態で他端側から延出し前記一の内面に対向する他の内面に対しそれぞれ独立してスライド可能に取り付けられた複数の開放端を有する可動仕切とを具備することを特徴とする。
【００１１】
このようなものであれば、複数の開放端が互いに独立して複数の仕切本体の他端側とともにスライドさせることができるので、複数の仕切本体の他端側間の距離を変更することができる。これにより、収納物の平面視寸法により柔軟に適用することができる。その結果、収納空間内に収納した収納物が有する種々の平面視寸法に対応可能となり、仕切りとしての機能が有効に発揮される構成を有するファイル用のボックスの提供に資する。
【００１２】
前記可動仕切のボックス本体に対する過度の係り合いを抑制することで可動仕切りの取り付け箇所に負担が集中したり、可動仕切りが不要に動作してしまったりすることを回避しつつ収納物を安定して支持し得るようにするためには、可動仕切に、前記ボックス本体の下端に接し下方から仕切本体を支持する支持脚を支持脚を設けておくことが望ましい。
【００１３】
支持脚自体が収容物に干渉してしまう事を有効に回避するためには、支持脚を、前記取付板及び前記開放端にそれぞれ設けておくことが望ましい。
【００１４】
また、前記可動仕切のボックス本体に対する過度の係り合いを抑制するための他の構成として、前記立壁に上端近傍に下方に向けて開口する下向きスリットを設け、前記開放端の上端が前記下向きスリットに差込挟持された状態でスライド可能に支持するようにすることが望ましい。
【００１５】
また、収納空間への外方からの視認性を有効に担保するためには、前記立壁に、前記収納空間を外方から視認し得る視認窓を設けるとともに前記支持脚に前記視認窓の形状に沿って設けた凹部を設け、前記視認窓及び前記凹部が互いに連通し得るようにしておくことが望ましい。
【００１６】
可動仕切の可動性を向上させることで種々の平面視寸法を有する収納物への適用性をより向上させるためには、前記取付板を、前記一の内面に対しスライド可能に設けることが好ましい。
【００１７】
所望の位置に位置付けた可動仕切りが収納物を確実に支持し得るようにするためには、前記複数の仕切本体に、一端側から他端側へ向かって延出し前記仕切本体自体の剛性を高め得るリブを設けることが好ましい。
【発明の効果】
【００１８】
本発明によれば、収納空間内に収納した収納物が有する種々の平面視寸法に対応可能とする点に着目することで、仕切りとしての機能が有効に発揮される構成を有するファイル用のボックスを提供することができる。
【図面の簡単な説明】
【００１９】
【図１】本発明の一実施形態に係る使用状態を示す斜視図。
【図２】同斜視図。
【図３】同正面図。
【図４】同背面図。
【図５】同平面図。
【図６】同底面図。
【図７】同右側面図。
【図８】同左側面図。
【図９】同実施形態に係る要部の説明図。
【図１０】同実施形態に係る展開図。
【図１１】同他の展開図。
【図１２】同実施形態に係るＡ−Ａ線断面図。
【図１３】同Ｂ―Ｂ線断面図。
【図１４】同実施形態に係るＥ−Ｅ、Ｈ−Ｈ部におけるＣ−Ｃ拡大端面図。
【図１５】同実施形態に係るＥ−Ｅ、Ｈ−Ｈ部におけるＤ−Ｄ拡大端面図。
【図１６】同実施形態に係るＧ−Ｇ、Ｉ−Ｉ部におけるＦ−Ｆ拡大端面図。
【発明を実施するための形態】
【００２０】
以下、本発明の一実施形態を、図面を参照しつつ以下に示す。
【００２１】
本実施形態に係るファイル用のボックスは、図１〜図１６に示すように、底壁１５及びこの底壁１５の縁部から立ち上がる立壁１０を有するとともに、前記底壁１５及び立壁１０に囲まれた内部において少なくとも上方が開放された収納空間Ｓを有するボックス本体１と、可動仕切２とを有している。可動仕切２は、前記収納空間Ｓを区画する機能を有する仕切本体２１、この仕切本体２１の一端側を接続しながら前記ボックス本体１の前記立壁１０における一の内面１２１に取り付けられる取付板２２、前記仕切本体２１の他端側を開放させた状態で前記一の内面１２１に対向する他の内面１１１に対しそれぞれ独立してスライド可能に取り付けられた複数の開放端２３を有するものである。
【００２２】
以下、本実施形態に係るファイル用のボックスの構成について説明する。
【００２３】
前記ボックス本体１は、全体が図１０に示すような１枚のシート状をなすプラスチック製の素材により形成されており、前端面を構成する立壁１０を構成する前壁１１と、この前壁１１に対向し後端面を構成する立壁１０を構成する後壁１２と、これら前壁１１及び後壁１２の側端縁同士を接続する立壁１０を構成する一側壁１３及び他側壁１４と、これら前壁１１、後壁１２及び両側壁１３、１４の底面側を閉塞する底壁１５とを備えている。また、このボックス本体１１は、前記立壁１０及び底壁１５により区画される収納空間Ｓを内部に有する。なお本実施形態では図示の便宜上、一側壁１３から見た図３を正面図と設定している。
【００２４】
前壁１１は、収納空間Ｓに臨み可動仕切２を支持している他の内面１１１と、外方から収納空間Ｓを視認可能にすべく切り欠いて形成した視認窓１１２と、上端部を内方に折り返した中間部分で樹脂素材を溶着した折り返し部１１３と、この折り返し部１１３の下側すなわち折り返し先端側に下方に面するように形成されたスリットである下向きスリット１１４と、底面側へ折り返して底壁１５を支持する前底板１１５と、この前底板１１５から切り起こして形成され他側壁側と係り合う前側爪１１６とを有している。また、前壁１１の前方には、透明な樹脂により形成され前壁１１との間でこのボックス本体１に収納した書類の内容等が記載された図１に示すラベルＬ等の紙葉類を収納するための空間を形成するポケット部材Ｐが設けられている。
【００２５】
後壁１２は、収納空間Ｓに臨んで可動仕切２を支持している一の内面１２１と、他の側壁に対して溶着接合されるために前方へ延出して形成された接合しろ１２２と、上端部を内方に折り返した中間部分で樹脂素材を溶着した折り返し部１２３と、この折り返し部１２３の下側すなわち折り返し先端側に下方に面するように形成されたスリットである下向きスリット１２４と、底面側へ折り返して底壁１５を支持する後底板１２５と、この後底板１２５から切り起こして形成され底壁１５側と係り合う後側爪１２６とを有している。
【００２６】
一側壁１３は、後端縁が前記後壁１２に、前端縁が前壁１１に、下端縁が底壁１５にそれぞれ一体的に連続している。一側壁１３は、その前後端から下方に傾斜させることにより形成された傾斜縁１３１と、この傾斜縁１３１間に介在し平坦に形成された平坦縁１３２と、この平坦縁１３２から樹脂素材を内方に折り重ね溶着させて形成することで一側壁の撓み剛性を向上させた折り返し部１３３とを有する。すなわち本実施形態では、この一側壁１３の高さ寸法は、前部及び後部においては中央に向かうにつれ漸次小さくなり、中央においては一定である。
【００２７】
他側壁１４は、後端縁が接合しろ１２２により接合されるとともに前端縁が前記前壁１１に、後端縁が前記後壁１２にそれぞれ高さ寸法を等しくして連続しており、前後方向中央部において使用者の四指を挿入し得る程度の大きさに形成された開口である把手穴１４１と、この把手穴１４１の上端において折り線を介して延出することで使用者の掌や四指が樹脂素材の端面に当接することを回避するために形成した指掛片１４２と、上端部を内方に折り返すことにより形成され内方に重なり合う折り返し部１４３と、下縁に形成した折り線に沿ってスリット状に開口することで底壁１５と係り合う係合穴１４４と、この係合穴１４４及び折り線から平面側に折り返すことで底壁１５を支持する側底板１４５と、この側底板１４５から切り起こして形成され前記前側爪１１６を係り合う前爪穴１４６とを有する。
【００２８】
底壁１５は、前記一側壁の下端から一体的に延出するものであり、後壁１２に係り合いながら前底板１１５、側底板１４５に支持されることにより、ボックス本体１の所謂底抜けを防止すべく設けられている。この底壁１５は、他側壁の係合穴１４４に係合する係合突起１５１と、延出前後端において部分円形状に突出させて形成することで前壁１１、後壁１２及び他側壁に圧着する圧着突起１５２と、巾方向の所定位置において前後方向等間隔に樹脂素材を半円状に切り起こすことによって形成され収納空間Ｓ内部に収納された書類等の向きを案内する案内片１５３と、前記後側爪１２６に係合する後爪穴１５６とを有している。
【００２９】
なお当該ボックス本体１を組み立てる手順としては、図１０に示す状態から接合しろ１２２により平面視環状に形成されたボックス本体１の立壁１０が平面視概略矩形状となるように折り、しかる後に前底板１１５及び側底板１４５を前側爪１１６、前爪穴１４６により係り合わせ、底壁１５を上方からこれら前底板１１５及び側底板１４５に重ねつつ後ろ側爪と後爪穴１５６を係り併せることにより組み立てる。斯かる組み立て方法の詳細な説明は従来知られているこの種のファイル用ボックスの底壁１５を形成する方法と同様であるので省略する。そしてボックス本体１を組上げた状態では、後壁１２の一の内面１２１と底壁１５との間には後端溝ｍ２が、前壁１１の他の内面１１１と底壁１５との間には前端溝ｍ１がそれぞれ形成される。
【００３０】
可動仕切２２は、全体が図１１に示すような１枚のシート状素材をコの字状に折りたたむ事により図９に示すように形成されており、幅方向に離間して対をなす前記仕切本体２１と、これら対をなす前記仕切本体２１の後端部をそれぞれ接続する１対の前記取付板２２と、仕切本体２１の前端部においてそれぞれ延出する開放端２３とを備えている。なお、斯かる可動仕切２２を構成するシート状素材の厚み寸法を、前記ボックス本体１を構成する樹脂素材の厚み寸法よりも大きく設定することで、可動仕切２２自体の剛性を担保している。
【００３１】
仕切本体２１は、前記収納空間Ｓの奥行き寸法全域にわたって延び、およそ収納空間Ｓの上半分の空間を仕切り得るよう構成されている。この仕切本体２１の上縁は前記一側壁１３の上縁すなわち傾斜縁１３１、平坦縁１３２の形状に沿うように凹み部２１１を設けている。また仕切本体２１は、奥行き寸法全域、すなわち一端側から他端側へ向かって延出し前記仕切本体２１自体の剛性を高め得るリブ２１２を形成している。すなわち本実施形態では、上記の如くシート状素材の厚みを大きくすることとリブ２１２の形成とが相まって、仕切本体２１の剛性は有効に高められている。そしてこの対をなす仕切本体２１間には図１に示すように、定型の種々の紙葉類の他図１に示す収容物Ｂのみならず、種々のものを収納可能である。
【００３２】
取付板２２は、後壁１２の一の内面１２１に添接しており、上端において後壁１２の下向きスリット１２４に差込挟持された上挿入片２２１と、ボックス本体１の下端まで延出し下方から仕切本体２１を支持する支持脚たる後脚２２２と、下端近傍において巾方向に凹ませて設けた後凹部２２３と、下端においてボックス本体１下端に形成された後端溝ｍ２に挿入される下挿入片２２４とを有している。すなわち本実施形態では、取付板２２の上端において上挿入片２２１が下向きスリット１２４に挟持されつつ下挿入片２２４が後端溝ｍ２に嵌る事で、後壁１２との係り合いが強くなくとも仕切本体２１を安定して支持している。また上挿入片２２１は下向きスリット１２４に挟持された状態でスライド動作可能に構成されている。そして下挿入片２２４は後端溝ｍ２内をスライド動作可能に構成されている。これにより取付板２２は、立壁１０の一の内面１２１に対してスライド可能に構成されている。
【００３３】
しかして本実施形態では上述した通り、複数つまり対をなす開放端２３が、前壁１１の他の内面１１１に対して、それぞれ独立してスライド可能に取り付けられたものとなっている。
【００３４】
開放端２３は、前壁１１の他の内面１１１にそれぞれ添接しており、上端において前壁１１の下向きスリット１１４に差込挟持された上挿入片２３１と、ボックス本体１の下端まで延出し下方から仕切本体２１を支持する支持脚たる前脚２３２と、下端近傍において巾方向に外方から凹ませて設けた凹部たる前凹部２３３と、下端においてボックス本体１下端に形成された前端溝ｍ１に挿入される下挿入片２３４とを有している。すなわち本実施形態では、開放端２３の上端において上挿入片２３１が下向きスリット１１４に挟持されつつ下挿入片２３４が前端溝ｍ１に嵌る事で、前壁１１との係り合いが強くなくとも仕切本体２１を安定して支持している。また上挿入片２３１は下向きスリット１１４に挟持された状態でスライド動作可能に構成されている。そして下挿入片２３４は前端溝ｍ１内をスライド動作可能に構成されている。これにより取付板２２は、立壁１０の一の内面１２１に対してスライド可能に構成されている。また前凹部２３３の一及び形状は前壁１１に設けた視認窓１１２の形状に沿うように形成されているため、図１３に示すように前凹部２３３と視認窓１１２が連通し、外方からの視認窓１１２から収納空間Ｓへの視認が妨げられることはない。なお本実施形態では前凹部２３３と視認窓１１２とを連通させるべく対をなす開放端２３を拡げるように配置しているが勿論、対をなす開放端２３同士を近接する、すなわち内向きに配置してもよい。このようにすれば、仕切本体２１を前壁１１の両側縁近傍にまで配置することができ、仕切本体２１間の距離の、より広範囲な位置調整に資する。
【００３５】
そして本実施形態に係るファイル用のボックスは図１及び図５に示すように、後壁１２側において取付板２２が自由にスライド動作させ得るのみならず、前壁１１側において仕切本体２１間の距離を自由に調整することで、図１の収容物Ｂのみならず、種々の巾寸法を有するものを収容しても倒伏させることなく可動仕切２が支持し、仕切りとして機能を有効に担保し得ている。
【００３６】
以上のように構成することで本実施形態に係るファイル用のボックスは、複数の開放端２３が互いに独立して複数の仕切本体２１の他端側とともにスライドさせることができるので、複数の仕切本体２１の他端側たる前壁１１側の距離を変更し得る。これにより、収納物の平面視寸法により柔軟に適用することができる。その結果、収納空間Ｓ内に収納した収納物が有する種々の平面視寸法に対応可能となり、仕切りとしての機能が有効に発揮される構成を有するファイル用のボックスの提供を実現している。
【００３７】
前記可動仕切２のボックス本体１に対する過度の係り合いを抑制することで可動仕切２の取り付け箇所に負担が集中したり、可動仕切２が不要に動作してしまったりすることを回避しつつ収納物を安定して支持し得るようにするために本実施形態では、可動仕切２に、前記ボックス本体１の前記底壁１５に接する支持脚たる前脚２３２及び後脚２２２を設けている。
【００３８】
また本実施形態では支持脚自体が収容物に干渉してしまう事を有効に回避するために、支持脚として、前記取付板２２及び前記開放端２３にそれぞれ前脚２３２、後脚２２２を設けている。そして本実施形態では対をなす前脚２３２と単一の後脚２２２による３点で仕切本体２１を下方から支持しているので、上端における立壁１０との係り合いが緩やかであっても安定して仕切本体２１が下方に脱落することを回避している。
【００３９】
また、前記可動仕切２のボックス本体１に対する過度の係り合いを抑制するための構成として、前壁１１の上端近傍に下方に向けて開口する下向きスリット１１４を設け、前記開放端２３の上端の上挿入片２３１が前記下向きスリット１１４に差込挟持された状態でスライド可能にし、簡便なスライド操作を担保している。
【００４０】
また、収納空間Ｓへの外方からの視認性を有効に担保するために本実施形態では、前記立壁１０に、前記収納空間Ｓを外方から視認し得る視認窓１１２を設けるとともに前記支持脚に前記視認窓１１２の形状に沿って設けた前凹部２３３を設け、前記視認窓１１２及び前凹部２３３が互いに連通し得るようにしている。
【００４１】
可動仕切２の可動性を向上させることで種々の平面視寸法を有する収納物への適用性をより向上させるために本実施形態では、前記取付板２２を、前記一の内面１２１に対しスライド可能に設けるようにしている。
【００４２】
特に本実施形態では、所望の位置に位置付けた可動仕切２が収納物を確実に支持し得るようにするために、前記複数の仕切本体２１に、一端側から他端側へ向かって延出し前記仕切本体２１自体の剛性を高め得るリブ２１２を設けている。そして本実施形態では、上記の如くシート状素材の厚みを大きくすることとリブ２１２の形成とが相まって、仕切本体２１の剛性は有効に高められ、収容物Ｂが仕切本体２１に凭れ掛かっても撓んでしまうことが有効に回避され、収容物Ｂのより確実な支持を実現している。
【００４３】
以上、本発明の実施形態について説明したが、各部の具体的な構成は、上述した実施形態のみに限定されるものではなく、本発明の趣旨を逸脱しない範囲で種々変形が可能である。
【００４４】
例えば、上記実施形態では可動仕切を一体に成形した態様を開示したが、勿論、上記リブを別体に構成することでさらに強度を向上させるようにしてもよい。またボックス本体や仕切本体の具体的な形状や素材といった詳細な態様は上記実施形態のものに限定されることはなく、既存のものを含め、種々の態様のものを適用することができる。
【００４５】
その他、各部の具体的構成についても上記実施形態に限られるものではなく、本発明の趣旨を逸脱しない範囲で種々変形が可能である。
【産業上の利用可能性】
【００４６】
本発明はオフィスや学校、家庭等で好適に用いられるファイル用のボックスとして利用することができる。
【符号の説明】
【００４７】
１…ボックス本体
１０…立壁
１１１…他の内面
１１２…視認窓
１１４、１２４…下向きスリット
１２１…一の内面
１５…底壁
２…可動仕切
２１…仕切本体
２１２…リブ
２２…取付板
２３…開放端
２２２…支持脚（後脚）
２３２…支持脚（前脚）
２３３…凹部（前凹部）
Ｓ…収納空間
【図１】
2015036220.tif 000003
【図２】
2015036220.tif 000004
【図３】
2015036220.tif 000005
【図４】
2015036220.tif 000006
【図５】
2015036220.tif 000007
【図６】
2015036220.tif 000008
【図７】
2015036220.tif 000009
【図８】
2015036220.tif 000010
【図９】
2015036220.tif 000011
【図１０】
2015036220.tif 000012
【図１１】
2015036220.tif 000013
【図１２】
2015036220.tif 000014
【図１３】
2015036220.tif 000015
【図１４】
2015036220.tif 000016
【図１５】
2015036220.tif 000017
【図１６】
2015036220.tif 000018